(57)【要約】【課題】生体信号に変化が生じた場合でも比較対象の動きを同期させて表示することができる医用画像表示装置及びその制御方法を提供すること。【解決手段】実施形態の医用画像表示装置は、取得部と、調整部と、表示制御部とを備える。取得部は、医用画像診断装置により被検体の生体信号と同期させて撮像された、複数のフレームを含んだ画像データから、該生体信号において周期的に出現する基準点に対応するフレームを取得する。調整部は、生体信号において任意の２つの基準点間の間隔を示す第１の区間に対応する第１の画像データに含まれるフレーム数と、生体信号において任意の他の２つの基準点間の間隔を示す第２の区間に対応する第２の画像データに含まれるフレーム数とが一致するように、フレーム数を調整する。表示制御部は、調整部により調整されたフレーム数のフレームを含んだ、第１の画像データ及び第２の画像データを表示部に表示させる。【選択図】図１
2014094075.tif 000002
【特許請求の範囲】
【請求項１】
医用画像診断装置により被検体の生体信号と同期させて撮像された、複数のフレームを含んだ画像データから、該生体信号において周期的に出現する基準点に対応するフレームを取得する取得部と、
前記生体信号において任意の２つの基準点間の間隔を示す第１の区間に対応する第１の画像データに含まれるフレーム数と、前記生体信号において任意の他の２つの基準点間の間隔を示す第２の区間に対応する第２の画像データに含まれるフレーム数とが一致するように、フレーム数を調整する調整部と、
前記調整部により調整されたフレーム数のフレームを含んだ、前記第１の画像データ及び前記第２の画像データを表示部に表示させる表示制御部と
を備えたことを特徴とする医用画像表示装置。
【請求項２】
前記調整部は、第１の医用画像診断装置により撮像された画像データに含まれる第１の区間に対応するフレーム数と、第２の医用画像診断装置により撮像された画像データに含まれる第２の区間に対応するフレーム数とが一致するように、フレーム数を調整することを特徴とする請求項１に記載の医用画像表示装置。
【請求項３】
前記調整部は、同一の画像データに含まれる、第１の区間に対応するフレーム数と第２の区間に対応するフレーム数とが一致するように、フレーム数を調整することを特徴とする請求項１に記載の医用画像表示装置。
【請求項４】
前記調整部は、第１の区間に対応するフレーム数と第２の区間に対応するフレーム数とが一致しない場合に、フレーム数が少ない方の区間に対応する画像データのフレーム間に補間画像を生成することで、フレーム数を調整することを特徴とする請求項１〜３のいずれか一つに記載の医用画像表示装置。
【請求項５】
前記表示制御部は、ハードウェア資源の使用率に基づいてデータサイズを変更した画像データを表示部に表示させることを特徴とする請求項１〜４のいずれか一つに記載の医用画像表示装置。
【請求項６】
医用画像表示装置が、
医用画像診断装置により被検体の生体信号と同期させて撮像された、複数のフレームを含んだ画像データから、該生体信号において周期的に出現する基準点に対応するフレームを取得し、
前記生体信号において任意の２つの基準点間の間隔を示す第１の区間に対応する第１の画像データに含まれるフレーム数と、前記生体信号において任意の他の２つの基準点間の間隔を示す第２の区間に対応する第２の画像データに含まれるフレーム数とが一致するように、フレーム数を調整し、
調整されたフレーム数のフレームを含んだ、前記第１の区間に対応する画像データ及び前記第２の区間に対応する画像データを表示部に表示させる
ことを含んだことを特徴とする医用画像表示装置の制御方法。
【発明の詳細な説明】
【技術分野】
【０００１】
本発明の実施形態は、医用画像表示装置及びその制御方法に関する。
【背景技術】
【０００２】
医用画像表示装置は、個々のモダリティ毎に生体信号と同期させて所定のフレームレートで撮像された画像を集めて、表示部に並べて表示する。例えば、医用画像表示装置は、同一のモダリティにより心電図と同期させて撮像された同一患者の治療前の心臓の動画像と治療後の心臓の動画像を表示する。
【０００３】
また、医用画像表示装置は、心電図の波形における心位相と撮像された画像とを対応付ける。これにより医用画像表示装置は、動画像間のフレームレートが同一であり心電図の波形が近似している場合、治療前の心臓の動きと治療後の心臓の動きとを同期させて表示することが可能である。
【先行技術文献】
【特許文献】
【０００４】
【特許文献１】特開２００６−１７５２２９号公報
【発明の概要】
【発明が解決しようとする課題】
【０００５】
本発明が解決しようとする課題は、生体信号に変化が生じた場合でも比較対象の動きを同期させて表示することができる医用画像表示装置及びその制御方法を提供することである。
【課題を解決するための手段】
【０００６】
実施形態の医用画像表示装置は、取得部と、調整部と、表示制御部とを備える。取得部は、医用画像診断装置により被検体の生体信号と同期させて撮像された、複数のフレームを含んだ画像データから、該生体信号において周期的に出現する基準点に対応するフレームを取得する。調整部は、生体信号において任意の２つの基準点間の間隔を示す第１の区間に対応する第１の画像データに含まれるフレーム数と、生体信号において任意の他の２つの基準点間の間隔を示す第２の区間に対応する第２の画像データに含まれるフレーム数とが一致するように、フレーム数を調整する。表示制御部は、調整部により調整されたフレーム数のフレームを含んだ、第１の画像データ及び第２の画像データを表示部に表示させる。
【図面の簡単な説明】
【０００７】
【図１】図１は、第１の実施形態に係る画像診断システムの構成の一例を示す図である。
【図２】図２は、生体信号測定部により計測される心電信号の一例を示す図である。
【図３Ａ】図３Ａは、画像情報取得部により生成される画像データの一例を示す図である。
【図３Ｂ】図３Ｂは、画像情報取得部により生成される画像データの別の一例を示す図である。
【図４Ａ】図４Ａは、調整部による判定処理の一例を示す図である。
【図４Ｂ】図４Ｂは、調整部による判定処理の一例を示す図である。
【図５】図５は、調整部によるフレーム数を調整する処理の一例を示す図である。
【図６】図６は、第１の実施形態に係る医用画像表示装置による処理手順を示すフローチャートである。
【図７】図７は、取得部が実行する画像をマッピングする処理の処理手順を示すフローチャートである。
【図８】図８は、調整部が実行するフレームを補間する処理の処理手順を示すフローチャートである。
【図９】図９は、同一患者において、拍動間隔が次第に短くなる一例を示す図である。
【図１０】図１０は、画像サイズ最適化テーブルが記憶する情報の一例を示す図である。
【発明を実施するための形態】
【０００８】
以下、図面を参照して、実施形態に係る医用画像表示装置及びその制御方法を説明する。
【０００９】
（第１の実施形態）
第１の実施形態では、医用画像表示装置を含んだ画像診断システムを例にする。まず、図１を用いて、第１の実施形態に係る画像診断システム１の構成を説明する。図１は、第１の実施形態に係る画像診断システム１の構成の一例を示す図である。
【００１０】
図１に示すように、第１の実施形態に係る画像診断システム１は、画像診断装置１０と、画像保管サーバ２０と、医用画像表示装置３０とを有する。画像診断システム１において、画像診断装置１０と、画像保管サーバ２０と、医用画像表示装置３０とは、ネットワーク３を介して互いに通信可能に接続する。なお、画像診断システム１が有する画像診断装置１０の数は、図１に示した数に限定されるものではなく、任意に変更可能である。
【００１１】
画像診断装置１０は、例えば、超音波診断装置、Ｘ線アンギオ装置等であり、被検体２の生体信号と同期させて被検体を撮像する。なお、以下の説明では、生体信号の一例として心電信号を示す。また、画像診断装置１０のことを「モダリティ」と称する。
【００１２】
画像保管サーバ２０は、画像診断装置１０により撮像された画像データを保管する。医用画像表示装置３０は、画像保管サーバ２０が保管する画像データを表示する。
【００１３】
続いて、図１を用いて、画像診断システム１が有する各装置の構成について説明する。画像診断装置１０は、通信部１１と、記憶部１２と、撮像部１３と、生体信号測定部１４と、制御部１５とを有する。
【００１４】
通信部１１は、例えば、ＮＩＣ（Network  Interface  Card）等であり、他の装置との間で通信を行う。記憶部１２は、例えば、ハードディスク、半導体メモリ素子等であり、各種情報を記憶する。
【００１５】
撮像部１３は、例えば、超音波やＸ線によって被検体２を撮像する。そして、撮像部１３は、撮像した結果を後述する画像情報取得部１５ａに出力する。
【００１６】
生体信号測定部１４は、被検体２の生体信号を計測する。例えば、生体信号測定部１４は、被検体２の生体信号として、心電信号を計測する。そして、生体信号測定部１４は、計測した心電信号を後述する波形情報取得部１５ｂに出力する。なお、本実施形態は、生体信号として心電信号を例にして説明するが、生体信号測定部１４が計測する生体信号は、心音信号、呼吸信号、脳波信号等であってもよい。また、この生体信号測定部１４は、画像診断装置１０の外部に独立して設置されてもよい。
【００１７】
図２は、生体信号測定部１４により計測される心電信号の一例を示す図である。同図に示すように、心電信号は、Ｐ波、Ｑ波、Ｒ波、Ｓ波、Ｔ波などの波形を有する。ここで、１回分の心臓の収縮は、Ｐ波（心房の収縮）、ＱＲＳ波（心室の収縮）、Ｔ波（心室の収縮の終了）という組み合わせで表示される。そして、Ｒ波から次のＲ波までの間隔は、心拍一回分に対応する。
【００１８】
また、Ｒ波の頂点からＴ波の終わり付近までが心室の収縮期（Systolic  Phase）であり、Ｔ波の終わり付近から次のＲ波までが心室の拡張期(Diastolic  Phase)である。そして、収縮期の終わりが収縮末期（ＥＳ：End  Systolic）であり、拡張期の終わりが拡張末期（ＥＤ：End  Diastole）である。
【００１９】
図１に戻って、制御部１５は、画像情報取得部１５ａと、波形情報取得部１５ｂと、波形情報付与部１５ｃとを有する。
【００２０】
画像情報取得部１５ａは、撮像部１３により撮像された結果を処理して画像データを生成する。そして、画像情報取得部１５ａは、生成した画像データを記憶部１２に格納する。
【００２１】
図３Ａは、画像情報取得部１５ａにより生成される画像データの一例を示す図であり、図３Ｂは、画像情報取得部１５ａにより生成される画像データの別の一例を示す図である。
【００２２】
図３Ａは、画像診断装置１０が超音波診断装置である場合に生成される心臓の画像５１及び画像５２を示す。画像５１は、心位相がＥＤに対応する画像である。また、画像５２は、心位相がＥＳに対応する画像である。
【００２３】
図３Ｂは、画像診断装置１０がＸ線アンギオ装置である場合に生成される心臓の画像６１及び画像６２を示す。画像６１は、心位相がＥＤに対応する画像である。また、画像６２は、心位相がＥＳに対応する画像である。
【００２４】
図１に戻って、波形情報取得部１５ｂは、生体信号測定部１４から心電信号を取得して、被検体２が撮像部１３により撮像される期間の心電図（ＥＣＧ：Electrocardiograph）を生成する。そして、波形情報取得部１５ｂは、生成したＥＣＧを記憶部１２に格納する。
【００２５】
波形情報付与部１５ｃは、心電図の波形における心位相と撮像された画像とを対応付ける情報を画像データに付与する。例えば、波形情報付与部１５ｃは、超音波診断装置により撮像された画像には、Ｒ波に対応する画像データであることを示す情報を画像データに付与する。また、波形情報付与部１５ｃは、Ｘ線アンギオ装置により撮像された画像には、生体信号測定部１４により計測される心電信号のベクトル情報を付帯情報として付与する。
【００２６】
画像保管サーバ２０は、通信部２１と、記憶部２２と、制御部２３とを有する。通信部２１は、例えば、ＮＩＣ等であり、他の装置との間で通信を行う。
【００２７】
記憶部２２は、例えば、ハードディスク、半導体メモリ素子等であり、各種情報を記憶する。例えば、記憶部２２は、検査ＤＢ（Data  Base）２２ａと、画像ＤＢ２２ｂとを有する。
【００２８】
検査ＤＢ２２ａは、検査ごとに撮像された画像データの保管先を示す情報をとして、例えば、「検査ＩＤ（Identifier）」と、「画像ＩＤ」と、「保管先アドレス」とを対応付けた情報を記憶する。画像ＤＢ２２ｂは、「保管先アドレス」に対応付けられるアドレスごとに、「画像ＩＤ」に対応付けられる「画像データ」を格納する。なお、検査ＤＢ２２ａと画像ＤＢ２２ｂとが統合されてもよい。
【００２９】
制御部２３は、例えばＣＰＵ等であり、画像保管サーバ２０が実行する各種処理を制御する。例えば、制御部２３は、画像診断装置１０から受信した画像データを画像ＩＤと対応付けて画像ＤＢ２２ｂに格納する。そして、制御部２３は、検査ＩＤと画像ＩＤと保管先アドレスとを対応付けた情報を検査ＤＢ２２ａに格納する。
【００３０】
また、制御部２３は、医用画像表示装置３０から画像ＩＤを指定して画像データを要求された場合、指定された画像ＩＤに対応する保管先アドレスを検査ＤＢ２２ａから探索する。そして、制御部２３は、検索した保管先アドレスに基づいて、画像ＤＢ２２ｂ上の該当アドレスから画像ＩＤに対応する画像データを取得する。制御部２３は、取得した画像データを医用画像表示装置３０に送信する。
【００３１】
医用画像表示装置３０は、入力部３１と、表示部３２と、通信部３３と、記憶部３４と、制御部３５とを有する。
【００３２】
入力部３１は、例えば、キーボードやマウスなどであり、利用者から各種の条件の設定を受付ける。ここで、入力部３１は、各種の条件として、「表示する画像データの数（検査画像数）」、「画像ＩＤ」、「フレームレート」、「表示させる区間における心拍数」等に関する情報の設定を利用者から受付ける。
【００３３】
表示部３２は、例えば、液晶ディスプレイ等のモニタである。表示部３２は、表示領域を複数に分割して、個々のモダリティ毎に所定のフレームレートで撮像された複数の画像を表示可能である。
【００３４】
通信部３３は、例えば、ＮＩＣ等であり、他の装置との間で通信を行う。記憶部３４は、例えば、ハードディスク、半導体メモリ素子等であり、各種情報を記憶する。具体的には、記憶部３４は、利用者から受付けた各種の条件等を記憶する。また、記憶部３４は、制御部３５により処理される画像データを記憶する。
【００３５】
制御部３５は、例えば、ＣＰＵ等であり、取得部３５ａと、調整部３５ｂと、表示制御部３５ｃとを有する。
【００３６】
取得部３５ａは、医用画像診断装置により被検体２の生体信号と同期させて撮像された、複数のフレームを含んだ画像データから、この生体信号において周期的に出現する基準点に対応するフレームを取得する。なお、以下ではＲ波を基準点とする。
【００３７】
例えば、取得部３５ａは、利用者から設定された心拍数に基づいて、Ｒ波に対応するフレームを取得する。ここで、取得部３５ａは、利用者から設定された心拍数が２心拍である場合、Ｒ波に対応するフレームを３つ取得する。ここで、取得部３５ｂは、取得したフレームに、このフレームがＲ波に対応するフレームであることを示すマークを付与する。
【００３８】
調整部３５ｂは、生体信号において任意の２つの基準点間の間隔を示す第１の区間に対応する第１の画像データに含まれるフレーム数と、生体信号において任意の他の２つの基準点間の間隔を示す第２の区間に対応する第２の画像データに含まれるフレーム数とが一致するように、フレーム数を調整する。
【００３９】
ここで、調整部３５ｂは、第１の医用画像診断装置により撮像された画像データに含まれる第１の区間に対応するフレーム数と、第２の医用画像診断装置により撮像された画像データに含まれる第２の区間に対応するフレーム数とが一致するように、フレーム数を調整する。
【００４０】
例えば、調整部３５ｂは、超音波診断装置により撮像された画像データに含まれる第１の区間に対応するフレーム数と、Ｘ線アンギオ装置により撮像された画像データに含まれる第２の区間に対応するフレーム数とが一致するように、フレーム数を調整する。
【００４１】
具体的には、調整部３５ｂは、第１の医用画像診断装置により撮像された画像データ及び第２の医用画像診断装置により撮像された画像データそれぞれについて始点となる基準点と終点となる基準点との間のフレーム数を算出する。そして、調整部３５ｂは、比較対象の動画像間でフレーム数が一致するか否かを判定する。
【００４２】
図４Ａ及び図４Ｂは、調整部３５ｂによる判定処理の一例を示す図である。図４Ａは、超音波診断装置により撮像された２心拍分に相当する区間の画像データであり、フレームレートが３０（フレーム／秒）である。一方、図４Ｂは、Ｘ線アンギオ装置により撮像された２心拍分に相当する区間の画像データであり、フレームレートが１５（フレーム／秒）である。なお、ここでは、図４Ａに示す２心拍分に相当する区間のことを第１の区間とし、図４Ｂに示す２心拍分に相当する区間のことを第２の区間とする。
【００４３】
例えば、図４Ａに示す区間において、フレーム数が６０フレームであり、図４Ｂに示す区間において、フレーム数が３０である場合、調整部３５ｂは、比較対象である第１の区間と第２の区間の動画像間でフレーム数が一致しないと判定する。
【００４４】
そして、調整部３５ｂは、第１の区間に対応するフレーム数と第２の区間に対応するフレーム数とが一致しないと判定した場合に、フレーム数が少ない方の区間に対応する画像データのフレーム間に補間画像を生成することで、フレーム数を調整する。
【００４５】
図５は、調整部３５ｂによるフレーム数を調整する処理の一例を示す図である。例えば、調整部３５ｂは、超音波診断装置により撮像された画像データに３フレーム、Ｘ線アンギオ装置により撮像された画像データに２フレームが含まれる場合、補間画像７０を生成して、Ｘ線アンギオ装置により撮像された画像データに１フレームを補間する。このように、調整部３５ｂは、フレーム数が少ない区間の画像データについて、フレーム数が多い画像データのフレーム数と一致するようにフレームを補間することでフレーム数を調整する。ここで、フレームを補間する技術については、種々の既存の技術を利用可能である。例えば、調整部３５ｂは、線形補間法によりフレームを補間する。
【００４６】
なお、調整部３５ｂは、フレーム数が多い画像データからフレームを間引くことで、フレーム数が少ない画像データと同じフレーム数になるように調整してもよい。例えば、調整部３５ｂは、図５において、超音波診断装置により撮像された画像データから１フレームを間引いて２フレームとなるようにフレーム数を調整してもよい。
【００４７】
表示制御部３５ｃは、調整部３５ｂにより調整されたフレーム数のフレームを含んだ、第１の区間に対応する第１の画像データ及び第２の区間に対応する第２の画像データを表示部３２に表示させる。
【００４８】
次に、図６から図８を用いて、第１の実施形態に係る医用画像表示装置３０による処理手順を説明する。図６は、第１の実施形態に係る医用画像表示装置３０による処理手順を示すフローチャートである。なお、第１の実施形態に係る医用画像表示装置３０は、利用者から処理の開始を受付けたことを契機に以下の処理を実行する。なお、ここでは、基準点に対応するフレームを取得する処理のことを「画像をマッピングする処理」とよぶ。
【００４９】
図６に示すように、取得部３５ａは、画像をマッピングする処理を実行する（ステップＳ１０１）。なお、画像をマッピングする処理の詳細については、図７を用いて後述する。
【００５０】
続いて、調整部３５ｂは、第１の画像データに含まれるフレーム数と第２の画像データに含まれるフレーム数とを一致させるように、フレームを補間する処理を実行する。（ステップＳ１０２）。なお、フレームを補間する処理の詳細については、図８を用いて後述する。
【００５１】
そして、表示制御部３５ｃは、フレーム数が一致した第１の画像データと第２の画像データとを表示部３２に表示させる（ステップＳ１０３）。
【００５２】
次に、図７を用いて、取得部３５ａが実行する画像をマッピングする処理の処理手順を説明する。図７は、取得部３５ａが実行する画像をマッピングする処理の処理手順を示すフローチャートである。なお、この処理は、図６のステップＳ１０１に対応する。
【００５３】
図７に示すように、取得部３５ａは、ｉを初期化する（ステップＳ２０１）。なお、ここで、「ｉ」は、画像をマッピングする処理において取得部３５ａが画像データにおいて検出したＲ波に対応するフレームの数を示す。言い換えると「ｉ」は、画像をマッピングする処理において取得部３５ａがカウントしたＲ波の数を示す。そして、取得部３５ａは、ｎを設定する（ステップＳ２０２）。なお、ここで、「ｎ」は、利用者から設定された心拍数を示す。
【００５４】
続いて、取得部３５ａは、「ｉ」が「ｎ＋１」と一致するか否かを判定する（ステップＳ２０３）。ここで、取得部３５ａは、「ｉ」が指定された「ｎ＋１」と一致しないと判定した場合（ステップＳ２０３、Ｎｏ）、Ｒ波に対応するフレームを検出する（ステップＳ２０４）。
【００５５】
そして、取得部３５ａは、検出したＲ波に対応するフレームにマークを付与し（ステップＳ２０５）、「ｉ」を１インクリメントする（ステップＳ２０６）。取得部３５ａは、ステップＳ２０６の終了後、ステップＳ２０３に移行する。なお、取得部３５ａは、ステップＳ２０３において、「ｉ」が「ｎ＋１」と一致すると判定する場合（ステップＳ２０３、Ｙｅｓ）、画像をマッピングする処理を終了する。
【００５６】
次に、図８を用いて、調整部３５ｂが実行するフレームを補間する処理の処理手順を説明する。図８は、調整部３５ｂが実行するフレームを補間する処理の処理手順を示すフローチャートである。なお、この処理は、図６のステップＳ１０２に対応する。
【００５７】
図８に示すように、調整部３５ｂは、始点となる基準点と終点となる基準点との間のフレーム数を算出する（ステップＳ３０１）。そして、調整部３５ｂは、比較対象の画像データ間でフレーム数が一致するか否かを判定する（ステップＳ３０２）。
【００５８】
ここで、調整部３５ｂは、比較対象の動画像間でフレーム数が一致しないと判定した場合（ステップＳ３０２、Ｎｏ）、補間画像を生成し（ステップＳ３０３）、フレームを補間する処理を終了する。一方、調整部３５ｂは、比較対象の動画像間でフレーム数が一致すると判定する場合（ステップＳ３０２、Ｙｅｓ）、フレームを補間する処理を終了する。
【００５９】
上述したように、第１の実施形態によれば、異なるモダリティにより撮像された観察対象を同期させて表示することができるので、観察対象がどのような動きをしているのかを比較することができる。また、これにより、例えば、医師は、診断が容易に行うことができる。また、医師は、患者の家族に患者の病状の説明を容易に行うことができる。
【００６０】
なお、従来の技術では、例えば、治療前の画像のフレームレートが治療後の画像のフレームレートよりも少ない場合に治療前の画像と治療後の画像とを再生させると、治療前の画像が先に終了する。そして、治療後の画像の終了を待ってから、治療前の画像と治療後の画像とが再生される。このため、従来の技術では、比較対象である画像データ間で心臓の動きを同期させて表示することができない。また、従来の技術では、異なるモダリティで撮像された画像データ間では、比較対象である画像データ間を心電図と同期させて表示することはできない。
【００６１】
また、第１の実施形態では、異なるモダリティで撮像された画像データに含まれるフレーム数が一致するように調整する場合を説明したが、医用画像表示装置３０の調整部３５ｂは、例えば、同一の画像データに含まれる、第１の区間に対応するフレーム数と第２の区間に対応するフレーム数とが一致するように、フレーム数を調整するようにしてもよい。
【００６２】
図９を用いて、医用画像表示装置３０の調整部３５ｂが、同一の画像データに含まれる、第１の区間に対応するフレーム数と第２の区間に対応するフレーム数とが一致するように、フレーム数を調整する例について説明する。図９は、同一患者において、拍動間隔が次第に短くなる一例を示す図である。なお、フレームレートは、同一で撮像されるものとする。
【００６３】
図９において、区間Ａに対応するフレーム数が３１枚、区間Ｂに対応するフレーム数が２８枚、区間Ｃに対応するフレーム数が２２枚である場合、調整部３５ｂは、例えば、区間Ｂ及び区間Ｃのフレーム数を３１枚に調整する。そして、医用画像表示装置３０は、フレーム数が調整された区間Ａ、区間Ｂ及び区間Ｃの画像データを表示部３２に表示する。このように、医用画像表示装置３０によれば、同一患者において、撮像中に生体信号が変化した場合でも、生体信号が変化する前の心臓の動きと生体信号が変化した後の心臓の動きとを比較することができる。
【００６４】
また、調整部３５ｂは、異なるモダリティにより撮像された複数心拍分の画像データ間でフレーム数を調整する場合、１心拍分の画像データ毎にフレーム数を調整するようにしてもよい。調整部３５ｂは、フレーム数が多い画像データからフレームを間引くことで、フレーム数が少ない画像データと同じフレーム数になるように調整してもよい。
【００６５】
また、第１の実施形態では、心電図と同期させて心臓の動きを観察する場合を説明したが、実施形態はこれに限定されるものではない。例えば、脈波や、呼吸同期と同期させた観察対象にも適用可能である。
【００６６】
（第２の実施形態）
第２の実施形態では、医用画像表示装置において、表示制御部３５ｃが、ハードウェア資源の使用率に基づいてデータサイズを変更した画像データを表示部３２に表示させる例を説明する。
【００６７】
なお、第２の実施形態に係る医用画像表示装置の構成は、記憶部に後述する画像サイズ最適化テーブルを有する点及び表示制御部が有する機能が異なる点を除いて、図１に示す第１の実施形態に係る医用画像表示装置３０の構成と同様である。このため、第２の実施形態に係る医用画像表示装置が有する各部には、図１に示した各部と同一の符号を付与し、詳細な説明を省略する。
【００６８】
画像サイズ最適化テーブルは、ハードウェア資源の使用率に基づいてデータサイズを規定する。図１０を用いて画像サイズ最適化テーブルが記憶する情報の一例について説明する。図１０は、画像サイズ最適化テーブルが記憶する情報の一例を示す図である。
【００６９】
例えば、図１０に示すように、画像サイズ最適化テーブルは、「ＣＰＵまたはメモリの未使用率」と「フレームレート」と「検査画像数」と「画像サイズ」とを対応付けた情報を記憶する。
【００７０】
ここで、画像サイズ最適化テーブルが記憶する「ＣＰＵまたはメモリの未使用率」は、使用可能なＣＰＵまたはメモリの割合を示す。例えば、「ＣＰＵまたはメモリの未使用率」には、「≧５０％」や「＜５０％」などの値が格納される。
【００７１】
また、画像サイズ最適化テーブルが記憶する「フレームレート」は、画像データを表示部３２に表示させる場合のフレームレートを示す。例えば、「フレームレート」には、「１５」、「３０」、「６０」などの値が格納される。
【００７２】
また、画像サイズ最適化テーブルが記憶する「検査画像数」は、表示部３２に表示させる画像データの数を示す。言い換えると、「検査画像数」は、比較対象となる画像数を示す。例えば、「検査画像数」には、「２」、「３」、「４」などの値が格納される。
【００７３】
また、画像サイズ最適化テーブルが記憶する「画像サイズ」は、表示部３２に表示させる画像データをリアルタイムに表示する場合に適した画像サイズを示す。例えば、「画像サイズ」には、通常時に表示させる画像サイズと同倍率であることを示す「１００％」、通常時に表示させる画像サイズの０．７５倍であることを示す「７５％」などの値が格納される。
【００７４】
一例をあげると、図１０に示す画像サイズ最適化テーブルは、ＣＰＵまたはメモリの使用可能容量が５０％以上あり、フレームレートが１５、検査画像数が２である場合、画像サイズが１００％で表示されることを示す。
【００７５】
表示制御部３５ｃは、ハードウェア資源の使用率に基づいてデータサイズを変更した画像データを表示部に表示させる。例えば、表示制御部３５ｃは、ＯＳ（Operating  System）に問い合わせることでＣＰＵ及びメモリの使用率を取得する。また、表示制御部３５ｃは、利用者から受付けた設定条件からフレームレート及び表示する画像数を特定する。そして、表示制御部３５ｃは、画像サイズ最適化テーブルを参照し、「ＣＰＵまたはメモリの使用可能容量」と「フレームレート」と「検査画像数」とに基づいてデータサイズを決定する。
【００７６】
上述したように、第２の実施形態に係る医用画像表示装置３０は、ＣＰＵまたはメモリの未使用率と、利用者による設定とに基づいて表示する画像サイズを変更する。すなわち、医用画像表示装置３０は、自装置のハード仕様を考慮して最適な画像表示サイズを決定する。これにより、第２の実施形態に係る医用画像表示装置３０によれば、ＣＰＵまたはメモリの資源が枯渇した場合に、正常に画像データを表示することが出来なくなることを防止し、正確に画像を表示することができる。
【００７７】
以上、説明したとおり、第１〜第２の実施形態によれば、生体信号に変化が生じた場合でも比較対象の動きを同期させて表示することができる。
【００７８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７９】
３５ａ  取得部
３５ｂ  調整部
３５ｃ  表示制御部
【図１】
2014094075.tif 000003
【図２】
2014094075.tif 000004
【図３Ａ】
2014094075.tif 000005
【図３Ｂ】
2014094075.tif 000006
【図４Ａ】
2014094075.tif 000007
【図４Ｂ】
2014094075.tif 000008
【図５】
2014094075.tif 000009
【図６】
2014094075.tif 000010
【図７】
2014094075.tif 000011
【図８】
2014094075.tif 000012
【図９】
2014094075.tif 000013
【図１０】
2014094075.tif 000014